(57)【要約】【課題】ネットワーク上に存在する映像素材を管理し、ワークフローの改善を図ることが可能な素材管理システム及び、このシステムで用いられる素材管理サーバ、映像収録装置及び素材管理方法を提供する。【解決手段】素材管理サーバ７０により、ネットワーク上に存在する映像素材が映像収録装置１０−１〜１０−３及び蓄積装置３０のいずれで記録されているかを管理する。また、素材管理サーバ７０は、映像収録装置１０−１〜１０−３、編集装置２０−１〜２０−３等における映像素材に対する処理状況を把握することで、ネットワーク上に存在する映像素材に対する処理状況を管理する。【選択図】      図１
2011030090.tif 000002
【特許請求の範囲】
【請求項１】
ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像処理装置と、
前記ネットワークを介して受信した第１の処理情報及び第２の処理情報に基づいて、前記映像素材の所在情報及び前記映像素材の処理状況を管理する管理手段と
を具備することを特徴とする素材管理システム。
【請求項２】
前記映像処理装置は、前記ネットワークへの接続に応じて接続信号を前記ネットワークへ出力すると共に、自装置に収録されている映像素材に関する素材情報を前記ネットワークへ出力し、
前記管理手段は、前記接続信号に基づいて前記映像処理装置の接続を認識し、前記素材情報に基づいて前記映像処理装置に収録されている映像素材を把握することを特徴とする請求項１記載の素材管理システム。
【請求項３】
前記ネットワークに接続され、外部から入力された編集要求に応じて前記映像処理装置に収録された映像素材に対して編集処理を実行し、前記映像素材に対する編集処理に関する第３の処理情報を前記ネットワークへ出力する編集装置をさらに具備し、
前記管理手段は、前記ネットワークを介して受信した第３の処理情報に基づいて前記映像素材における編集状況を管理することを特徴とする請求項１記載の素材管理システム。
【請求項４】
映像素材及び前記映像素材の出力方法を指定するプレイリスト情報を有する制御手段をさらに具備し、
前記管理手段は、映像素材の出力を要求する出力要求が入力された場合、前記映像素材の所在情報に基づいて、前記プレイリスト情報により指定された映像素材を収録している映像収録装置を特定し、
前記制御手段は、前記特定された映像収録装置から前記指定された映像素材を出力させることを特徴とする請求項１記載の素材管理システム。
【請求項５】
前記ネットワークには、前記映像収録装置が複数接続され、
前記プレイリスト情報は、前記複数の映像収録装置に収録されている複数の映像素材及び前記複数の映像素材の再生方法を指定し、
前記管理手段は、映像素材の出力を要求する出力要求が入力された場合、前記映像素材の所在情報に基づいて、前記指定された複数の映像素材をそれぞれ収録している複数の映像収録装置を特定し、
前記制御手段は、前記特定された複数の映像収録装置から前記指定された映像素材を出力させることを特徴とする請求項４記載の素材管理システム。
【請求項６】
前記制御手段は、前記複数の映像収録装置から出力させた複数の映像素材を受け取り、前記複数の映像素材を前記プレイリスト情報に基づいて連結して出力することを特徴とする請求項５記載の素材管理システム。
【請求項７】
映像素材及び前記映像素材の出力方法を指定するプレイリスト情報を有する制御手段と、
前記ネットワークに接続され、外部から入力された編集要求に応じて前記映像収録装置に収録された映像素材に対して編集処理を実行し、前記映像素材に対する編集処理に関する第３の処理情報を前記ネットワークへ出力する編集装置と
をさらに具備し、
前記管理手段は、前記ネットワークを介して受信した前記第３の処理情報に基づいて前記編集装置に対して編集要求が入力されたことを把握し、前記映像素材の所在情報に基づいて前記編集要求により指定された映像素材を収録している映像収録装置を特定し、
前記制御手段は、前記特定された映像収録装置に収録されている前記映像素材の編集を前記編集装置に行わせることを特徴とする請求項１記載の素材管理システム。
【請求項８】
前記ネットワークに前記編集装置が複数接続され、前記映像素材における特定部位について、前記複数の編集装置により別々の編集処理が行われる場合、
前記管理手段は、前記複数の編集装置から前記ネットワークを介して受信した前記第３の処理情報に基づいて、前記複数の編集装置による前記映像素材の編集状況を管理し、
前記制御手段は、前記複数の編集装置の優先度を示す優先度情報を有し、前記編集状況に応じて前記特定部位の編集を前記優先度の高い編集装置から順に行わせることを特徴とする請求項７記載の素材管理システム。
【請求項９】
前記ネットワークには、前記映像収録装置が複数接続され、
前記複数の映像収録装置の優先度を示す優先度情報を有する制御手段をさらに具備し、
前記管理手段は、前記ネットワークを介して受信した前記第１又は第２の処理情報に基づいて前記映像収録装置のいずれかに処理要求が入力されたことを把握し、前記処理要求により指定された映像素材の処理状況を確認し、
前記制御手段は、前記処理要求により指定された映像素材の処理状況及び前記優先度情報に基づいて、前記処理要求が入力された映像収録装置に、要求された処理を行わせることを特徴とする請求項１記載の素材管理システム。
【請求項１０】
前記ネットワークには、前記編集装置が複数接続され、
前記映像収録装置に対して映像素材の編集要求が入力された場合、前記管理手段で管理される前記映像素材の編集状況に基づいて、前記複数の編集装置のうち負荷の最も軽い編集装置を特定し、前記映像収録装置に前記負荷の最も軽い編集装置を用いて前記映像素材を編集させる制御手段をさらに具備することを特徴とする請求項３記載の素材管理システム。
【請求項１１】
映像素材、前記映像素材に対して処理を行う装置及び前記処理を実行するタイミングを指定する予約情報を有する制御手段をさらに具備し、
前記管理手段は、前記映像素材の所在情報に基づいて、前記予約情報により指定された映像素材を収録している映像収録装置を特定し、
前記制御手段は、前記予約情報により指定されたタイミングで、前記特定された映像収録装置に収録されている映像素材に対して処理を行うように、前記指定された装置に対して制御を行うことを特徴とする請求項１記載の素材管理システム。
【請求項１２】
前記管理手段で管理される前記映像素材の処理状況に基づいて得られた前記映像収録装置の処理負荷が、予め設定された処理負荷よりも軽い場合、前記映像収録装置に対してこの映像収録装置に収録されている映像素材に基づいてプロキシ素材を作成させる制御手段をさらに具備ことを特徴とする請求項１記載の素材管理システム。
【請求項１３】
前記管理手段は、前記映像収録装置に含まれることを特徴とする請求項１記載の素材管理システム。
【請求項１４】
前記管理手段及び前記制御手段は、前記映像収録装置に含まれることを特徴とする請求項４乃至１２のいずれかに記載の素材管理システム。
【請求項１５】
前記管理手段は、前記ネットワークに接続された素材管理サーバに含まれることを特徴とする請求項１記載の素材管理システム。
【請求項１６】
前記管理手段及び前記制御手段は、前記ネットワークに接続された素材管理サーバに含まれることを特徴とする請求項４乃至１２のいずれかに記載の素材管理システム。
【請求項１７】
ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像収録装置を具備する素材管理システムで用いられる素材管理サーバにおいて、
前記ネットワークを介して前記第１及び第２の処理情報を取得する状態取得部と、
前記第１及び第２の処理情報に基づいて、前記映像素材の所在情報及び前記映像素材の処理状況を管理する管理制御部と
を具備することを特徴とする素材管理サーバ。
【請求項１８】
前記映像収録装置は、前記ネットワークへの接続に応じて接続信号を前記ネットワークへ出力すると共に、自装置に収録されている映像素材に関する素材情報を前記ネットワークへ出力し、
前記管理制御部は、前記接続信号に基づいて前記映像処理装置の接続を認識し、前記素材情報に基づいて前記映像処理装置に収録されている映像素材を把握することを特徴とする請求項１７記載の素材管理サーバ。
【請求項１９】
前記素材管理システムは、
外部から入力された編集要求に応じて前記映像処理装置に収録された映像素材に対して編集処理を実行し、前記映像素材に対する編集処理に関する第３の処理情報を前記ネットワークへ出力する編集装置をさらに備え、
前記状態取得部は、前記ネットワークを介して前記第３の処理情報を受信し、
前記管理制御部は、前記第３の処理情報に基づいて前記映像素材における編集状況を管理することを特徴とする請求項１７記載の素材管理サーバ。
【請求項２０】
映像素材及び前記映像素材の出力方法を指定するプレイリスト情報を有する装置制御部をさらに具備し、
前記管理制御部は、映像素材の出力を要求する出力要求が入力された場合、前記映像素材の所在情報に基づいて、前記プレイリスト情報により指定された映像素材を収録している映像収録装置を特定し、
前記装置制御部は、前記特定された映像収録装置から前記指定された映像素材を出力させることを特徴とする請求項１７記載の素材管理サーバ。
【請求項２１】
前記ネットワークには、前記映像収録装置が複数接続され、
前記プレイリスト情報は、前記複数の映像収録装置に収録されている複数の映像素材及び前記複数の映像素材の再生方法を指定し、
前記管理制御部は、映像素材の出力を要求する出力要求が入力された場合、前記映像素材の所在情報に基づいて、前記プレイリスト情報により指定された複数の映像素材をそれぞれ収録している複数の映像収録装置を特定し、
前記装置制御部は、前記特定された複数の映像収録装置から前記指定された映像素材を出力させることを特徴とする請求項２０記載の素材管理サーバ。
【請求項２２】
前記複数の映像収録装置から出力させた複数の映像素材を受け取るデータ取得部と、
前記複数の映像素材を前記プレイリスト情報に基づいて連結して出力する出力部と
をさらに具備することを特徴とする請求項２１記載の素材管理サーバ。
【請求項２３】
映像素材及び前記映像素材の出力方法を指定するプレイリスト情報を有する装置制御部をさらに具備し、
前記素材管理システムは、前記ネットワークに接続され、外部から入力された編集要求に応じて前記映像収録装置に収録された映像素材に対して編集処理を実行し、前記映像素材に対する編集処理に関する第３の処理情報を前記ネットワークへ出力する編集装置をさらに備え、
前記状態取得部は、前記ネットワークを介して前記第３の処理情報を取得し、
前記管理制御部は、前記第３の処理情報に基づいて前記編集装置に対して編集要求が入力されたことを把握し、前記映像素材の所在情報に基づいて前記編集要求により指定された映像素材を収録している映像収録装置を特定し、
前記装置制御部は、前記特定された映像収録装置に収録されている前記映像素材の編集を前記編集装置に行わせることを特徴とする請求項１７記載の素材管理サーバ。
【請求項２４】
前記ネットワークに前記編集装置が複数接続され、前記映像素材における特定部位について、前記複数の編集装置により別々の編集処理が行われる場合、
前記状態取得部は、前記ネットワークを介して前記複数の編集装置からの前記第３の処理情報を取得し、
前記管理制御部は、前記第３の処理情報に基づいて前記複数の編集装置による前記映像素材の編集状況を管理し、
前記装置制御部は、前記複数の編集装置の優先度を示す優先度情報を有し、前記編集状況に応じて前記特定部位の編集を前記優先度の高い編集装置から順に行わせることを特徴とする請求項２３記載の素材管理サーバ。
【請求項２５】
前記ネットワークには、前記映像収録装置が複数接続され、
前記複数の映像収録装置の優先度を示す優先度情報を有する装置制御部をさらに具備し、
前記状態取得部は、前記ネットワークを介して前記複数の映像収録装置から前記第１又は第２の処理情報を取得し、
前記管理制御部は、前記第１又は第２の処理情報に基づいて前記複数の映像収録装置のいずれかに処理要求が入力されたことを把握し、前記処理要求により指定された映像素材の処理状況を確認し、
前記装置制御部は、前記処理要求により指定された映像素材の処理状況及び前記優先度情報に基づいて、前記処理要求が入力された映像収録装置に、要求された処理を行わせることを特徴とする請求項１７記載の素材管理サーバ。
【請求項２６】
前記ネットワークには、前記編集装置が複数接続され、
前記映像収録装置に対して映像素材の編集要求が入力された場合、前記管理制御部で管理される前記映像素材の編集状況に基づいて、前記複数の編集装置のうち負荷の最も軽い編集装置を特定し、この編集装置を用いて前記映像収録装置に前記映像素材を編集させる装置制御部をさらに具備することを特徴とする請求項１９記載の素材管理サーバ。
【請求項２７】
映像素材、前記映像素材に対して処理を行う装置及び前記処理を実行するタイミングを指定する予約情報を有する装置制御部をさらに具備し、
前記管理制御部は、前記映像素材の所在情報に基づいて、前記予約情報により指定された映像素材を収録している映像収録装置を特定し、
前記装置制御部は、前記予約情報により指定されたタイミングで、前記特定された映像収録装置に収録されている映像素材に対して処理を行うように、前記指定された装置に対して制御を行うことを特徴とする請求項１７記載の素材管理サーバ。
【請求項２８】
前記管理制御部で管理される前記映像素材の処理状況に基づいて得られた前記映像収録装置の処理負荷が、予め設定された処理負荷よりも軽い場合、前記映像収録装置に対してこの映像収録装置に収録されている映像素材に基づいてプロキシ素材を作成させる装置制御部をさらに具備ことを特徴とする請求項１７記載の素材管理サーバ。
【請求項２９】
ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像収録装置を複数具備する素材管理システムにおける複数の映像収録装置のうちの特定の映像収録装置であって、
前記ネットワークを介して前記第１及び第２の処理情報を取得するネットワークインタフェース部と、
前記第１及び第２の処理情報に基づいて、前記映像素材の所在情報及び前記映像素材の処理状況を管理する管理制御部と
を具備することを特徴とする映像収録装置。
【請求項３０】
前記複数の映像収録装置は、前記ネットワークへの接続に応じて接続信号を前記ネットワークへ出力すると共に、自装置に収録されている映像素材に関する素材情報を前記ネットワークへ出力し、
前記管理制御部は、前記接続信号に基づいて前記映像処理装置の接続を認識し、前記素材情報に基づいて前記映像処理装置に収録されている映像素材を把握することを特徴とする請求項２９記載の映像収録装置。
【請求項３１】
前記素材管理システムは、
外部から入力された編集要求に応じて前記映像処理装置に収録された映像素材に対して編集処理を実行し、前記映像素材に対する編集処理に関する第３の処理情報を前記ネットワークへ出力する編集装置をさらに備え、
前記ネットワークインタフェース部は、前記ネットワークを介して前記第３の処理情報を受信し、
前記管理制御部は、前記第３の処理情報に基づいて前記映像素材における編集状況を管理することを特徴とする請求項２９記載の映像収録装置。
【請求項３２】
前記特定の映像収録装置は、前記管理制御部で管理される映像素材の所在情報及び前記映像素材の処理状況を参照して、前記映像収録装置を制御する装置制御部をさらに具備することを特徴とする請求項２９記載の映像収録装置。
【請求項３３】
前記特定の映像収録装置は、前記管理制御部で管理される映像素材の所在情報、前記映像素材の処理状況及び前記映像素材における編集状況を参照して、前記映像収録装置及び前記編集装置を制御する装置制御部をさらに具備することを特徴とする請求項３１記載の映像収録装置。
【請求項３４】
映像素材を収録する映像収録装置及び前記映像収録装置に収録された映像素材を管理する素材管理サーバがネットワークにより接続して成る素材管理システムで用いられる素材管理方法において、
前記映像収録装置が前記映像素材を収録する際、又は、前記収録された映像素材に対して所定の処理を実行する際に出力する処理情報に基づいて、前記映像素材の所在情報及び前記映像素材の処理状況を管理することを特徴とする素材管理方法。
【請求項３５】
前記映像素材の所在情報及び前記映像素材の処理状況を参照して、前記映像収録装置を制御することを特徴とする請求項３４記載の素材管理方法。
【発明の詳細な説明】
【技術分野】
【０００１】
この発明は、例えば収録された映像素材を管理する素材管理システム及び、このシステムで用いられる素材管理サーバ、映像収録装置及び素材管理方法に関する。
【背景技術】
【０００２】
現在、映像収録装置、編集機等の放送機器をネットワークを介して接続する技術が提案されている。この種の放送システムでは、カメラ等により撮像された映像素材を映像収録装置で収録し、この映像素材をネットワークを介して編集機で編集することが可能となる。また、従来のような記録メディアによる映像素材の受け渡しが不要となるため、映像素材を取得してからオンエアまでの時間を短縮することが可能となる。さらに、ネットワークを介して複数の映像収録装置を接続することが可能であるため、これらの複数の映像収録装置に収録された複数の映像素材に対して編集処理等のアクセスが可能となる。
【０００３】
しかしながら、上述のような放送システムでは、ネットワーク上に複数の映像素材が存在するため、映像素材の収録位置及び映像素材に対する処理状況等を把握することは困難である。
【０００４】
なお、特許文献１では、収録時に映像素材にメタデータを付与し、収録された映像素材をこのメタデータを用いて管理する方法が提案されている。また、特許文献２では、映像素材のプロキシデータを用いて編集処理を行う方法が提案されている。しかしながら、特許文献１及び２では、ネットワーク上に存在する映像素材を管理する方法については提案されていない。
【先行技術文献】
【特許文献】
【０００５】
【特許文献１】特開２００７−１９４６９６号公報
【特許文献２】特開２００８−１５３７３９号公報
【発明の概要】
【発明が解決しようとする課題】
【０００６】
以上のように、映像収録装置及び編集機をネットワークを介して接続する場合、ネットワーク上に存在する映像素材を管理することが困難であるという問題がある。
【０００７】
この発明は上記事情によりなされたもので、その目的は、ネットワーク上に存在する映像素材を管理し、ワークフローの改善を図ることが可能な素材管理システム及び、このシステムで用いられる素材管理サーバ、映像収録装置及び素材管理方法を提供することにある。
【課題を解決するための手段】
【０００８】
上記目的を達成するため、本発明に係る素材管理システムは、ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像処理装置と、前記ネットワークを介して受信した第１の処理情報及び第２の処理情報に基づいて、前記映像素材の所在情報及び前記映像素材の処理状況を管理する管理手段とを具備する。
【０００９】
また、本発明に係る素材管理サーバは、ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像収録装置を具備する素材管理システムで用いられる素材管理サーバにおいて、前記ネットワークを介して前記第１及び第２の処理情報を取得する状態取得部と、前記第１及び第２の処理情報に基づいて、前記映像素材の所在情報及び前記映像素材の処理状況を管理する管理制御部とを具備する。
【００１０】
また、本発明に係る映像収録装置は、ネットワークに接続され、外部から入力された収録要求に応じて映像素材を収録し、前記映像素材に対する収録処理に関する第１の処理情報を前記ネットワークへ出力し、前記収録された映像素材に対する処理要求に応じて第１の指定処理を実行し、前記映像素材に対する第１の指定処理に関する第２の処理情報を前記ネットワークへ出力する映像収録装置を複数具備する素材管理システムにおける複数の映像収録装置のうちの特定の映像収録装置であって、前記ネットワークを介して前記第１及び第２の処理情報を取得するネットワークインタフェース部と、前記第１及び第２の処理情報に基づいて、前記映像素材の所在情報及び前記映像素材の処理状況を管理する管理制御部とを具備する。
【００１１】
また、本発明に係る素材管理方法は、映像素材を収録する映像収録装置及び前記映像収録装置に収録された映像素材を管理する素材管理サーバがネットワークにより接続して成る素材管理システムで用いられる素材管理方法において、前記映像収録装置が前記映像素材を収録する際、又は、前記収録された映像素材に対して所定の処理を実行する際に出力する処理情報に基づいて、前記映像素材の所在情報及び前記映像素材の処理状況を管理することを特徴とする。
【００１２】
上記構成による素材管理システム、素材管理サーバ、映像収録装置及び素材管理方法では、映像収録装置における映像素材に対する処理を把握することによって、映像素材の所在情報及び映像素材の処理状況を管理するようにしている。これにより、ネットワーク上に存在する映像素材を管理することが可能となる。
【発明の効果】
【００１３】
この発明によれば、映像収録装置及び編集機等がネットワークを介して接続される場合、ネットワーク上に存在する映像素材を管理し、ワークフローの改善を図ることが可能な素材管理システム及び、このシステムで用いられる素材管理サーバ、映像収録装置及び素材管理方法を提供することができる。
【図面の簡単な説明】
【００１４】
【図１】本発明の第１の実施形態に係る素材管理システムの構成を示す図である。
【図２】図１の素材管理サーバの機能構成を示す図である。
【図３】図１の状態管理部における映像素材の管理例を示す図である。
【図４】図１の映像収録装置の機能構成を示す図である。
【図５】図１の素材管理システムに新たな装置が接続された場合の素材管理サーバの処理動作を示すフローチャートである。
【図６】図１の素材管理サーバにネットワークを介して実行処理の要求が入力された場合の素材管理サーバの処理動作を示すフローチャートである。
【図７】図１の編集装置が映像素材の編集処理を行う際に、映像素材の位置Ｐについては、それぞれが別々の編集処理を行う場合の素材管理サーバの処理動作を示すフローチャートである。
【図８】一つのプレイリストが複数の映像収録装置に収録された複数の映像素材にまたがって作成されている場合に、図１の編集装置がこのプレイリストに従った編集処理を行う際の素材管理サーバの処理動作を示すフローチャートである。
【図９】図１の映像収録装置に編集処理の要求が直接入力され、その要求が素材管理サーバへ転送された際の素材管理サーバの処理動作を示すフローチャートである。
【図１０】図１の素材管理サーバが映像収録装置に対して映像素材を出力させる際の処理動作を示すフローチャートである。
【図１１】図１０における素材管理サーバ及び映像収録装置の動作を示す模式図である。
【図１２】図１の素材管理サーバが映像収録装置に対して映像素材を出力させる際の処理動作を示すフローチャートである。
【図１３】図１２における素材管理サーバ及び映像収録装置の動作を示す模式図である。
【図１４】図１の素材管理サーバが映像収録装置に対してプロキシ素材を作成させる際の処理動作を示すフローチャートである。
【図１５】本発明の第２の実施形態に係る素材管理システムの構成を示す図である。
【図１６】図１５の主映像収録装置９０の機能構成を示す図である。
【発明を実施するための形態】
【００１５】
以下、図面を参照しながら本発明に係る素材管理システム、素材管理サーバ、映像収録装置及び素材管理方法の実施の形態について詳細に説明する。
【００１６】
［第１の実施形態］  
図１は、本発明の第１の実施形態に係る素材管理システムの構成を示すブロック図である。図１における素材管理システムは、映像収録装置１０−１〜１０−３、編集装置２０−１〜２０−３、蓄積装置３０、送出制御装置５０、送出装置６０及び素材管理サーバ７０が、ネットワークを介して接続されて成る。
【００１７】
映像収録装置１０−１〜１０−３は、実行処理の要求がユーザから直接入力された場合、その要求された処理を実行する。例えば、映像収録装置１０−１〜１０−３は、収録処理の要求が入力された場合、カメラで撮像された映像を映像素材として収録する。また、映像収録装置１０−１〜１０−３は、再生処理の要求が入力された場合、収録されている映像素材を再生する。また、映像収録装置１０−１〜１０−３は、出力処理の要求が入力された場合、収録されている映像素材をネットワーク上へ出力する。また、映像収録装置１０−１〜１０−３は、編集処理の要求が入力された場合、収録した映像素材の編集をユーザに行わせる。また、映像収録装置１０−１〜１０−３は、転送処理の要求が入力された場合、収録されている映像素材をネットワークを介して他のシステムへ転送する。
【００１８】
また、映像収録装置１０−１〜１０−３は、ネットワークを介して制御信号を受信した場合、その制御信号に応じた処理を実行する。例えば、映像収録装置１０−１〜１０−３は、素材管理サーバ７０から、装置内に収録された映像素材を出力する旨の制御信号を受けた場合、その映像素材をネットワーク上へ出力する。
【００１９】
また、映像収録装置１０−１〜１０−３は、実行処理により変化した映像素材の状態をネットワークを介して素材管理サーバ７０へ通知する。例えば、映像収録装置１０−１〜１０−３は、映像素材に対して実行されている処理の種類、実行処理を行っている装置、実行処理の進捗状況及び実行処理の優先度等が変化した場合、その旨をネットワークを介して素材管理サーバ７０へ通知する。
【００２０】
編集装置２０−１〜２０−３では、ユーザにより映像収録装置１０−１〜１０−３に収録された映像素材に対して、ＩＮ点／ＯＵＴ点の付加等の編集処理が行われる。このとき、ユーザは、映像収録装置１０−１〜１０−３又は素材管理サーバ７０に登録されたプレイリストを参照して映像素材の編集処理を行う。ここで、プレイリストとは、複数の映像素材の再生方法を設定したリストである。例えば、複数の映像素材の再生順序、各映像素材の再生開始位置及び再生終了位置等の指定が可能である。なお、プレイリストは、複数の映像収録装置１０−１〜１０−３に収録される映像素材にまたがって作成することが可能である。
【００２１】
編集装置２０−１〜２０−３は、ユーザから編集処理の要求が入力された場合、その編集処理の要求を素材管理サーバ７０へ出力する。また、編集装置２０−１〜２０−３は、実行処理により変化した映像素材の状態をネットワークを介して素材管理サーバ７０へ通知する。例えば、編集装置２０−１〜２０−３は、ユーザが映像素材に対する編集処理を開始した場合や終了した場合には、その旨を素材管理サーバ７０へ通知する。
【００２２】
蓄積装置３０は、例えば、映像収録装置１０−１〜１０−３で複製された映像素材及び、編集装置２０−１〜２０−３で編集された映像素材を、内部の記録媒体へ蓄積する。
【００２３】
また、蓄積装置３０は、実行処理により変化した映像素材の状態をネットワークを介して素材管理サーバ７０へ通知する。例えば、蓄積装置３０は、映像素材を蓄積装置３０内部の記録媒体に記録している場合には、この記録処理の進捗状況等を素材管理サーバ７０へ通知する。また、蓄積装置３０は、映像素材の記録処理が終了した場合には、その旨を素材管理サーバ７０へ通知する。
【００２４】
送出制御装置５０は、外部から入力される放送スケジュールに従って番組素材をオンエアするように、映像収録装置１０−１〜１０−３及び素材管理サーバ７０のうち少なくともいずれか一つに対して番組素材を出力する旨の制御信号を出力する。また、送出制御装置５０は、制御信号を与えた装置からの番組素材が外部へ送出されるように、送出装置６０に対して指示を与える。これにより、送出装置６０は、放送スケジュールに従って番組素材をオンエアすることとなる。送出装置６０は、実行処理により変化した映像素材の状態をネットワークを介して素材管理サーバ７０へ通知する。例えば、送出装置６０は、番組素材の送出状況を素材管理サーバ７０へ通知する。
【００２５】
素材管理サーバ７０は、ネットワークに接続された映像収録装置１０−１〜１０−３、編集装置２０−１〜２０−３、蓄積装置３０、送出制御装置５０及び送出装置６０の各種装置からの通知に基づいて、映像収録装置１０−１〜１０−３及び蓄積装置３０に記録された映像素材の状態を管理する。また、素材管理サーバ７０は、ネットワークに新たな装置が接続された場合、新たに接続された装置を認識する。そして、素材管理サーバは、認識した装置が映像収録装置及び蓄積装置である場合には、その内部に記録されている映像素材の状態も管理する。
【００２６】
次に、素材管理サーバ７０及び映像収録装置１０−１〜１０−３について詳細に説明する。
【００２７】
図２は、本発明の第１の実施形態に係る素材管理サーバ７０の機能構成を示すブロック図である。図２における素材管理サーバ７０は、装置制御部７１を備える。装置制御部７１には、プレイリスト管理部７２、予約情報管理部７３、優先度情報管理部７４及びプログラム管理部７５が接続されている。装置制御部７１は、プログラム管理部７５で管理されるプログラムを実行することで、ネットワーク上に接続された装置の制御を行う。
【００２８】
プレイリスト管理部７２は、操作入力部７６からユーザにより入力されたプレイリストを管理する。装置制御部７１は、送出制御装置５０からの制御信号を受信した等の場合、プレイリスト管理部７２で管理されるプレイリスト及び後述する状態管理部７７で管理される状態管理情報を参照して、所望の映像素材が送出装置６０へ出力されるように制御する。また、編集装置２０−１〜２０−３のユーザは、このプレイリストを参照して映像素材の編集処理を行う。
【００２９】
予約情報管理部７３は、操作入力部７６からユーザにより入力された予約情報を管理する。予約情報には、所定の実行処理を開始する時刻及び所定の実行処理を開始する順序等が含まれる。装置制御部７１は、予約情報に従って実行処理が開始されるように、ネットワークにより接続された装置に対して制御信号を出力する。例えば、装置制御部７１は、映像収録装置１０−１に収録された映像素材を１２時に出力する旨の予約情報が予約情報管理部７３で管理されている場合、１２時になったことに応じて映像収録装置１０−１に対して映像素材を出力させる旨の制御信号を出力する。
【００３０】
優先度情報管理部７４は、ユーザにより操作入力部７６から入力された優先度情報を管理する。ここで、優先度情報には、ネットワークに接続された装置それぞれの優先度及び実行処理の優先度等が含まれる。装置制御部７１は、ネットワーク上の各種装置から実行処理の要求が入力されると、優先度情報管理部７４で管理される優先度情報を参照して、その実行処理を開始させる。
【００３１】
また、装置制御部７１は、映像収録装置１０−１〜１０−３の処理負荷を状態管理部７７を参照して確認し、処理負荷の軽い映像収録装置１０−１〜１０−３に対して、プロキシ素材の作成を行うように制御信号を与える。なお、プロキシ素材とは、映像収録装置１０−１〜１０−３に収録された映像素材に基づいて作成される、容量の小さな映像素材のことである。
【００３２】
また、装置制御部７１は、映像収録装置１０−１〜１０−３に対して映像素材の編集処理が要求された場合、状態管理部７７を参照して処理負荷の軽い編集装置を選択する。そして、装置制御部７１は、映像収録装置１０−１〜１０−３に、処理負荷の軽い編集装置を介して映像素材の編集処理を行わせる。
【００３３】
また、装置制御部７１には、管理制御部７８が接続されている。管理制御部７８は、装置制御部７１から各装置へ出力された制御信号の内容を、制御ログとしてログ管理部７９で管理する。
【００３４】
上記素材管理サーバ７０は、状態取得部７１０をさらに備える。状態取得部７１０は、装置制御部７１及び管理制御部７８と接続している。
【００３５】
状態取得部７１０は、各装置から通知された映像素材に関する情報を受信する。管理制御部７８は、状態取得部７１０で取得された情報に基づいて、映像素材の状態を状態管理部７７で管理する。
【００３６】
図３は、本発明の第１の実施形態に係る状態管理部７７における映像素材の管理例を示す模式図である。状態管理部７７では、映像素材毎に、その映像素材が記録されている機器、その映像素材に対する実行処理の種類、実行処理を行っている機器、実行処理の進捗状況、実行処理の優先度及び予約状況等が管理されている。
【００３７】
また、管理制御部７８には、モニタ出力部７１１が接続されている。モニタ出力部７１１は、状態管理部７７で管理された映像素材の状態管理情報をモニタ８０へ出力する。モニタ８０には、映像素材の状態管理情報が表示される。
【００３８】
上記素材管理サーバ７０は、さらにデータ取得部７１２を備える。データ取得部７１２は、映像収録装置１０−１〜１０−３又は蓄積装置３０から出力された映像素材を受信する。このとき、映像収録装置１０−１〜１０−３又は蓄積装置３０は、プレイリストに基づいて装置制御部７１から出力される制御信号に従って映像素材を出力する。処理部７１３は、データ取得部７１２で取得された映像素材を連結する。出力部７１４は、処理部７１３からの映像素材をネットワークを介して送出装置６０へ出力する。
【００３９】
図４は、本発明の第１の実施形態に係る映像収録装置１０−１〜１０−３の機能構成を示すブロック図である。映像収録装置１０−１〜１０−３は互いに同様の構成をしているため、ここでは映像収録装置１０−１についての説明を行う。
【００４０】
映像収録装置１０−１は、制御部１１を備え、この制御部１１により、映像収録装置１０−１における各種実行処理を制御する。
【００４１】
制御部１１は、操作入力部１２からユーザにより収録処理の要求が入力された場合、映像素材の収録処理を行う。入力部１３から入力された映像データは、エンコーダ１４によりエンコードされ、内蔵記録媒体コントローラ１５により映像素材として内蔵記録媒体１６へ収録される。
【００４２】
また、制御部１１は、操作入力部１２からユーザにより再生処理の要求が入力された場合、対象となる映像素材の再生処理を行う。このとき、制御部１１は、内蔵記録媒体コントローラ１５に内蔵記録媒体１６から映像素材を読み出させる。そして、制御部１１は、読み出した映像素材をデコーダ１７でデコードし、デコードした映像をモニタ出力部１１１を介してモニタで再生する。
【００４３】
また、制御部１１は、収録した映像素材を出力する旨の制御信号をネットワークを介して受信した場合、又は、操作入力部１２からユーザにより出力処理の要求が入力された場合、対象となる映像素材の出力処理を行う。このとき、制御部１１は、内蔵記録媒体コントローラ１５に内蔵記録媒体１６から映像素材を読み出させる。そして、制御部１１は、読み出した映像素材をネットワークインタフェース（Ｉ／Ｆ）１８を介して出力する。
【００４４】
また、制御部１１は、プロキシ素材を作成する旨の制御信号をネットワークを介して受信した場合、プロキシ素材作成部１９により、プロキシ素材の作成処理を行う。
【００４５】
また、制御部１１には、プレイリスト管理部１１０が接続される。プレイリスト管理部１１０は、ユーザにより操作入力部１２から入力されたプレイリストを管理する。制御部１１は、送出制御装置５０からの制御信号があった場合、プレイリスト管理部１１０で管理されるプレイリストを参照して、所望の映像素材を送出装置６０へ出力する。
【００４６】
次に、上記構成における動作を説明する。
【００４７】
まず、素材管理システムに新たな装置が接続された場合の素材管理サーバ７０の処理動作を詳細に説明する。図５は、本発明の第１の実施形態に係る素材管理システムに新たな装置が接続された場合の素材管理サーバ７０の処理動作を示すフローチャートである。
【００４８】
新たな装置は、ネットワークへの接続に応じて素材管理サーバ７０に対して、ネットワークへ接続した旨を通知する。また、新たな装置は、この通知と共に、自装置が映像収録装置、編集装置及び蓄積装置等のうちいずれであるかを素材管理サーバ７０に対して通知する。状態取得部７１０は、新たな装置からの通知を受信し（ステップ５１）、新たな装置が接続されたことを認識する（ステップ５２）。状態取得部７１０は、新たな装置に関する情報を管理制御部７８へ通知する。管理制御部７８は、この情報に基づいて状態管理部７７を更新する（ステップ５３）。
【００４９】
続いて、装置制御部７１は、新たな装置が映像収録装置又は蓄積装置であるか否かを判断する（ステップ５４）。新たな装置が映像収録装置又は蓄積装置である場合（ステップ５４のＹｅｓ）、この装置に対して、内部に記録された映像素材に関する情報を要求する（ステップ５５）。新たな装置は、装置制御部７１からの要求を受けると、記録した映像素材に関する情報を状態取得部７１０へ出力する。状態取得部７１０は、映像素材に関する情報を管理制御部７８へ通知する。管理制御部７８は、この情報に基づいて状態管理部７７を更新する（ステップ５６）。
【００５０】
また、装置制御部７１は、ステップ５４において、接続された装置が映像収録装置又は蓄積装置ではないと判断した場合（ステップ５４のＮｏ）、処理を終了させる。
【００５１】
このように、素材管理サーバ７０は、ネットワークに新たに接続された装置を把握している。また、素材管理サーバ７０は、新たな装置が映像収録装置及び蓄積装置である場合、これらに記録された映像素材を把握している。これにより、素材管理システムのユーザは、新たに映像収録装置又は蓄積装置が接続された場合であっても、新たに接続された映像収録装置及び蓄積装置に記録された映像素材にアクセスすることが可能となる。
【００５２】
次に、素材管理サーバにネットワークを介して実行処理の要求が入力された場合の素材管理サーバの処理動作を詳細に説明する。図６は、このときの素材管理サーバ７０の処理動作を示すフローチャートである。
【００５３】
まず、素材管理サーバ７０の装置制御部７１は、状態取得部７１０により実行処理の要求が受信された場合（ステップ６１）、その旨を管理制御部７８へ通知する。管理制御部７８は、状態管理部７７の状態管理情報を参照し、この実行処理の要求の対象となる映像素材が処理中であるか否かを判断する（ステップ６２）。対象となる映像素材が処理中である場合（ステップ６２のＹｅｓ）、その処理における処理位置が要求された処理の希望処理位置と同一であるか否かを判断する（ステップ６３）。
【００５４】
管理制御部７８は、処理中の処理位置と要求された処理の希望処理位置とが同一である場合（ステップ６３のＹｅｓ）、優先度情報管理部７４を参照し、要求された処理の優先度が実行中の処理の優先度よりも高いか否かを判断する（ステップ６４）。管理制御部７８は、要求された処理の優先度の方が高い場合（ステップ６４のＹｅｓ）、その旨を装置制御部７１へ通知する。装置制御部７１は、この通知を受けると、実行中の処理を中断させ（ステップ６５）、実行処理の要求元である装置に対して、要求した実行処理を開始するように制御信号を出力する（ステップ６６）。装置制御部７１による制御は、ログ管理部７９に記録される。放送装置は、装置制御部７１からの制御信号に応じて処理を実行する。また、放送装置は、処理を実行した旨を状態取得部７１０へ通知する。管理制御部７８は、状態取得部７１０で取得された通知に基づいて状態管理部７７を更新する（ステップ６７）。
【００５５】
続いて、装置制御部７１は、要求された処理が終了した旨の通知が状態取得部７１０で受信されたか否かを判断する（ステップ６８）。装置制御部７１は、要求された処理が終了した旨の通知が状態取得部７１０で受信された場合（ステップ６８のＹｅｓ）、要求された処理が終了した旨を管理制御部７８へ通知する。管理制御部７８は、装置制御部７１からの通知に基づいて状態管理部７７を更新する。そして、管理制御部７８は、状態管理部７７の状態管理情報を参照し、中断された処理及びその処理を実行していた装置に関する情報を装置制御部７１へ通知する。装置制御部７１は、管理制御部７８からの情報に基づき、処理が中断された装置に対して、中断された処理を再開するように制御信号を出力する（ステップ６９）。装置制御部７１による制御は、ログ管理部７９に記録される。放送装置は、装置制御部７１からの制御信号に応じて、処理を再開する。また、放送装置は、処理を再開した旨を状態取得部７１０へ通知する。管理制御部７８は、状態取得部７１０で取得された通知に基づいて状態管理部７７を更新する（ステップ６１０）。
【００５６】
また、装置制御部７１は、ステップ６２において、対象となる映像素材が処理中でないと判断した場合（ステップ６２のＮｏ）、及び、ステップ６３において、処理中の処理位置と要求された処理の希望処理位置とが同一でないと判断した場合（ステップ６３のＮｏ）、実行処理の要求元である装置に対して、要求した実行処理を開始するように制御信号を出力する（ステップ６１１）。装置制御部７１による制御は、ログ管理部７９に記録される。放送装置は、装置制御部７１からの制御信号に応じて処理を実行する。また、放送装置は、処理を実行した旨を状態取得部７１０へ通知する。管理制御部７８は、状態取得部７１０で取得された通知に基づいて状態管理部７７を更新する（ステップ６１２）。
【００５７】
また、ステップ６４において、管理制御部７８は、実行中の処理の優先度の方が高い場合（ステップ６４のＮｏ）、その旨を装置制御部７１へ通知する。装置制御部７１は、この通知を受けると、実行中の処理が終了した旨の信号が状態取得部７１０で受信されたか否かを判断し（ステップ６１３）、実行中の処理が終了するまで待機する。
【００５８】
装置制御部７１は、実行中の処理が終了した旨の信号が状態取得部７１０で受信された場合（ステップ６１３のＹｅｓ）、実行中の処理が終了した旨を管理制御部７８へ通知する。管理制御部７８は、状態取得部７１０からの通知に基づいて状態管理部７７を更新する（ステップ６１４）。
【００５９】
続いて、装置制御部７１は、実行処理の要求元である装置に対して、要求した実行処理を開始するように制御信号を出力する（ステップ６１５）。装置制御部７１による制御は、ログ管理部７９に記録される。放送装置は、装置制御部７１からの制御信号に応じて処理を実行する。また、放送装置は、処理を実行した旨を状態取得部７１０へ通知する。管理制御部７８は、状態取得部７１０で取得された通知に基づいて状態管理部７７を更新する（ステップ６１６）。このように、素材管理サーバ装置において、入力された要求に対する処理が行われる。
【００６０】
以上のように、素材管理サーバ７０は、ネットワーク上の装置から実行処理の要求が入力された場合、状態管理部７７に管理されている状態管理情報を参照して、要求元の装置に処理を実行させるようにしている。また、素材管理サーバ７０は、優先度情報を参照して、優先度の高い処理を優先的に処理させるようにしている。これにより、実行処理を効率的に開始することが可能となる。
【００６１】
なお、図６では、実行処理の優先度に基づいてネットワーク上の装置を制御する例を説明したが、ネットワーク上の各装置に対して優先度を付し、この装置毎の優先度に基づいて各装置を制御する場合であっても同様に実施可能である。
【００６２】
次に、映像素材の編集が行われる際の素材管理サーバ７０の処理動作を詳細に説明する。
【００６３】
素材管理サーバ７０は、編集装置２０−１〜２０−３から編集処理の要求を受け取ると、図６のフローチャートに従って編集装置２０−１〜２０−３に編集処理を開始させる。このとき、映像素材における同一の位置に、複数の編集装置により別々の編集処理を行う必要がある場合、素材管理サーバ７０は、編集装置２０−１〜２０−３の優先度を参照し、優先度の高い編集装置から順に映像素材における同一位置の編集を行わせる。
【００６４】
図７は、編集装置２０−１〜２０−３が映像素材の編集処理を行う際に、映像素材の位置Ｐについては、編集装置２０−１〜２０−３が別々の編集処理を行う場合の素材管理サーバ７０の処理動作を示すフローチャートである。ここで、編集装置２０−１〜２０−３の優先度は、編集装置２０−１＞編集装置２０−２＞編集装置２０−３であるとする。
【００６５】
編集装置２０−１〜２０−３は、ユーザから編集処理の要求が入力された場合、編修要求が入力された旨及びその編集要求により指定された映像素材を状態取得部７１０へ通知する。管理制御部７８は、図６のステップ６６、ステップ６１１又はステップ６１５において編集装置２０−１〜２０−３の編集処理を開始する際、編集装置２０−１〜２０−３から通知された映像素材の所在を、状態管理部７７の状態管理情報に基づいて特定する（ステップ７１）。装置制御部７１は、編集装置２０−１〜２０−３に対して映像素材の所在に関する情報を出力する（ステップ７２）。
【００６６】
そして、装置制御部７１は、優先度情報管理部７４を参照して、優先度の最も高い編集装置２０−１に位置Ｐを編集させる（ステップ７３）。また、装置制御部７１は、編集装置２０−２，２０−３には映像素材における位置Ｐ以外の部分を編集させる。
【００６７】
編集装置２０−１は、編集を開始すると、位置Ｐの編集を開始した旨を状態取得部７１０へ通知する。状態取得部７１０は、編集装置２０−１から編集開始の通知を受けた場合（ステップ７４）、その旨を管理制御部７８へ通知する。管理制御部７８は、状態取得部７１０で受信された通知に基づいて状態管理部７７を更新する（ステップ７５）。
【００６８】
編集装置２０−１は、位置Ｐの編集処理が終了した場合、位置Ｐの編集が終了した旨を状態取得部７１０へ通知する。状態取得部７１０は、編集装置２０−１から編集終了の通知を受信した場合（ステップ７６）、その旨を管理制御部７８へ通知する。管理制御部７８は、状態取得部７１０で受信された通知に基づいて状態管理部７７を更新する（ステップ７７）。
【００６９】
続いて、装置制御部７１は、状態管理部７７の状態管理情報を参照して、優先度が次に高い編集装置２０−２に位置Ｐを編集させる（ステップ７８）。このとき、装置制御部７１は、編集装置２０−１，２０−３に映像素材における位置Ｐ以外の部分を編集させる。編集装置２０−２は、編集を開始すると、位置Ｐの編集を開始した旨を状態取得部７１０へ通知する。状態取得部７１０は、編集装置２０−２から編集開始の通知を受信した場合（ステップ７９）、その旨を管理制御部７８へ通知する。管理制御部７８は、状態取得部７１０で受信された通知に基づいて状態管理部７７を更新する（ステップ７１０）。
【００７０】
編集装置２０−２は、位置Ｐの編集処理が終了した場合、位置Ｐの編集が終了した旨を状態取得部７１０へ通知する。状態取得部７１０は、編集装置２０−２から編集終了の旨の通知を受信した場合（ステップ７１１）、その旨を管理制御部７８へ通知する。管理制御部７８は、状態取得部７１０で受信された通知に基づいて状態管理部７７を更新する（ステップ７１２）。
【００７１】
続いて、装置制御部７１は、状態管理部７７の状態管理情報を参照して、優先度が最も低い編集装置２０−３に位置Ｐを編集させる（ステップ７１３）。このとき、装置制御部７１は、編集装置２０−１，２０−２に映像素材における位置Ｐ以外の部分を編集させる。編集装置２０−３は、編集を開始すると、位置Ｐの編集を開始した旨を状態取得部７１０へ通知する。状態取得部７１０は、編集装置２０−３から編集開始の旨の通知を受信した場合（ステップ７１４）、その旨を管理制御部７８へ通知する。管理制御部７８は、状態取得部７１０で受信された通知に基づいて状態管理部７７を更新する（ステップ７１５）。
【００７２】
編集装置２０−３は、位置Ｐの編集処理が終了した場合、位置Ｐの編集が終了した旨を状態取得部７１０へ通知する。状態取得部７１０は、編集装置２０−３から編集終了の旨の通知を受信した場合（ステップ７１６）、その旨を管理制御部７８へ通知する。管理制御部７８は、状態取得部７１０で受信された通知に基づいて状態管理部７７を更新する（ステップ７１７）。
【００７３】
このように、素材管理サーバ７０は、映像素材における同一位置に編集装置２０−１〜２０−３それぞれによって別々の編集が施される場合、編集装置２０−１〜２０−３の優先度に従って順番にその位置の編集をさせるようにしている。また、映像素材における同一位置以外については、各編集装置で並行して編集するようにしている。これにより、映像素材の編集処理を効率的に行うことが可能となる。
【００７４】
次に、一つのプレイリストが映像収録装置１０−１〜１０−３に収録された複数の映像素材にまたがって作成されており、編集装置２０−１により、このプレイリストに従った編集処理が行われる際の素材管理サーバ７０の処理動作の説明をする。例えば、プレイリストが、映像収録装置１０−１に収録された映像素材Ａ、映像収録装置１０−２に収録された映像素材Ｂ及び映像収録装置１０−３に収録された映像素材Ｃにまたがっている場合を例に考える。このとき、プレイリスト上での順序は、映像素材Ａ，Ｂ，Ｃの順であるとする。図８は、このときの素材管理サーバ７０の処理動作を示すフローチャートである。
【００７５】
素材管理サーバ７０は、編集処理を開始する際、管理制御部７８により状態管理部７７の状態管理情報を参照して映像素材Ａがいずれの映像収録装置に収録されているのかを特定する（ステップ８１）。管理制御部７８は、映像収録装置１０−１を特定し、装置制御部７１へ通知する。装置制御部７１は、管理制御部７８からの通知に基づいて、編集装置２０−１に編集処理を開始させる（ステップ８２）。編集装置２０−１は、装置制御部７１からの制御信号を受けると、映像収録装置１０−１へアクセスし、収録された映像素材Ａの編集を行う。そして、編集装置２０−１は、映像素材Ａの編集を開始した旨を素材管理サーバ７０へ通知する。
【００７６】
状態取得部７１０は、編集装置２０−１から編集開始の通知を受信し（ステップ８３）、その通知を管理制御部７８へ転送する。管理制御部７８は、この通知に基づいて状態管理部７７を更新する（ステップ８４）。
【００７７】
編集装置２０−１は、映像素材Ａの編集処理が終了した場合、映像素材Ａの編集が終了した旨を状態取得部７１０へ通知する。状態取得部７１０は、編集装置２０−１から編集終了の通知を受信した場合（ステップ８５）、その旨を管理制御部７８へ通知する。管理制御部７８は、状態取得部７１０で受信された通知に基づいて状態管理部７７を更新する（ステップ８６）。
【００７８】
管理制御部７８は、状態管理部７７を更新した後、状態管理部７７の状態管理情報を参照して映像素材Ｂがいずれの映像収録装置に収録されているのかを特定する（ステップ８７）。管理制御部７８は、映像収録装置１０−２を特定して、装置制御部７１へ通知する。装置制御部７１は、管理制御部７８からの通知に基づいて、編集装置２０−１に編集処理を開始させる（ステップ８８）。編集装置２０−１は、装置制御部７１からの制御信号を受けると、映像収録装置１０−２へアクセスし、収録された映像素材Ｂの編集を行う。そして、編集装置２０−１は、映像素材Ｂの編集を開始した旨を素材管理サーバ７０へ通知する。
【００７９】
状態取得部７１０は、編集装置２０−１から編集開始の通知を受信し（ステップ８９）、その通知を管理制御部７８へ転送する。管理制御部７８は、この通知に基づいて状態管理部７７を更新する（ステップ８１０）。
【００８０】
編集装置２０−１は、映像素材Ｂの編集処理が終了した場合、映像素材Ｂの編集が終了した旨を状態取得部７１０へ通知する。状態取得部７１０は、編集装置２０−１から編集終了の通知を受信した場合（ステップ８１１）、その旨を管理制御部７８へ通知する。管理制御部７８は、状態取得部７１０で受信された通知に基づいて状態管理部７７を更新する（ステップ８１２）。
【００８１】
管理制御部７８は、状態管理部７７を更新した後、状態管理部７７の状態管理情報を参照して映像素材Ｃがいずれの映像収録装置に収録されているのかを特定する（ステップ８１３）。管理制御部７８は、映像収録装置１０−３を特定して、装置制御部７１へ通知する。装置制御部７１は、管理制御部７８からの通知に基づいて、編集装置２０−１に編集処理を開始させる（ステップ８１４）。編集装置２０−１は、装置制御部７１からの制御信号を受けると、映像収録装置１０−３へアクセスし、収録された映像素材Ｃの編集を行う。そして、編集装置２０−１は、映像素材Ｃの編集を開始した旨を素材管理サーバ７０へ通知する。
【００８２】
状態取得部７１０は、編集装置２０−１からの編集開始の通知を受信し（ステップ８１５）、その通知を管理制御部７８へ転送する。管理制御部７８は、この通知に基づいて状態管理部７７を更新する（ステップ８１６）。
【００８３】
編集装置２０−１は、映像素材Ｃの編集処理が終了した場合、映像素材Ｃの編集が終了した旨を状態取得部７１０へ通知する。状態取得部７１０は、編集装置２０−１から編集終了の通知を受信した場合（ステップ８１７）、その旨を管理制御部７８へ通知する。管理制御部７８は、状態取得部７１０で受信された通知に基づいて状態管理部７７を更新する（ステップ８１８）。こうして、編集装置２０−１の編集処理が終了する。
【００８４】
これにより、プレイリストが複数の映像収録装置にまたがって作成された場合であっても、効率的に映像素材の編集を行うことが可能となる。なお、編集装置は、編集済みの映像素材を映像素材が収録された映像収録装置へ収録するようにしても良いし、編集済みの複数の映像素材をプレイリストに従って連結し、映像収録装置１０−１〜１０−３又は蓄積装置３０へ一つの映像素材として記録させるようにしても良い。
【００８５】
次に、映像収録装置１０−１〜１０−３に編集処理の要求が直接入力され、その要求が素材管理サーバ７０へ転送された際の素材管理サーバ７０の処理動作を詳細に説明する。図９は、このときの素材管理サーバ７０の処理動作を示すフローチャートである。なお、以下では、映像収録装置１０−１へ編集処理の要求が入力され、その要求が素材管理サーバ７０へ転送された場合を例に説明する。
【００８６】
装置制御部７１は、映像収録装置１０−１から転送された編集処理の要求を受信した場合（ステップ９１）、その旨を管理制御部７８へ通知する。管理制御部７８は、ネットワークに接続された編集装置２０−１〜２０−３の負荷状況を状態管理部７７に記録された状態管理情報により確認する。管理制御部７８は、編集装置２０−１〜２０−３のうち負荷の軽い編集装置を選択し（ステップ９２）、その編集装置を装置制御部７１へ通知する。装置制御部７１は、この編集装置に対して、映像収録装置１０−１からの編集処理の要求を出力する（ステップ９３）。
【００８７】
このように、素材管理サーバ７０は、映像素材の編集処理を負荷の軽い編集装置で行わせるようにしている。これにより、編集処理が一つの編集装置へ偏ることを防ぐことが可能となる。つまり、編集装置２０−１〜２０−３への負荷が分散されることとなり、編集装置２０−１〜２０−３の処理の効率が向上することとなる。
【００８８】
次に、映像収録装置に収録された映像素材を出力する際の素材管理サーバ７０の処理動作を詳細に説明する。
【００８９】
素材管理サーバ７０は、送出制御装置５０から映像素材を出力する旨の制御信号を受信した場合、図６のフローチャートに従って映像素材の出力処理を開始させる。
【００９０】
図１０は、素材管理サーバ７０が送出制御装置５０から映像素材を出力する旨の制御信号を受信した場合、映像収録装置１０−１〜１０−３に対して映像素材を出力させる際の素材管理サーバ７０の処理動作を示すフローチャートである。また、図１１は、図１０の際の素材管理サーバ７０及び映像収録装置１０−１〜１０−３の動作を示す模式図である。
【００９１】
装置制御部７１は、状態取得部７１０により送出制御装置５０からの制御信号を受信した場合（ステップ１０１）、その旨とプレイリスト管理部７２で管理されるプレイリストとを、管理制御部７８へ通知する。管理制御部７８は、プレイリストに記載された映像素材を収録している映像収録装置を、状態管理部７７の状態管理情報を参照して特定する（ステップ１０２）。管理制御部７８は、特定した映像収録装置に関する情報を装置制御部７１へ通知する。装置制御部７１は、管理制御部７８により特定された映像収録装置１０−１〜１０−３に対して映像素材を出力する旨の制御信号を出力する（ステップ１０３）。装置制御部７１による制御は、ログ管理部７９に記録される。映像収録装置１０−１〜１０−３は、装置制御部７１からの制御信号に応じて、映像素材を出力する。また、映像収録装置１０−１〜１０−３は、処理を実行した旨を状態取得部７１０へ通知する。管理制御部７８は、状態取得部７１０で取得された通知に基づいて状態管理部７７を更新する（ステップ１０４）。
【００９２】
図１１において、装置制御部７１は、プレイリストに従った順序で、映像収録装置１０−１〜１０−３に対して制御信号を出力する（ステップ１０３）。映像収録装置１０−１〜１０−３は、装置制御部７１からの制御信号に応じて、映像素材を送出装置６０へ出力する。
【００９３】
これにより、素材管理サーバ７０は、映像収録装置１０−１〜１０−３へ制御信号を出力するのみで、映像収録装置１０−１〜１０−３から映像素材を出力させることが可能となる。すなわち、素材管理サーバ７０の負荷が小さく抑えられるため、素材管理サーバ７０は、多くの処理を並行して実行することが可能となる。また、プレイリストが複数の映像収録装置にまたがって作成された場合であっても、効率的に映像素材を出力することが可能となる。
【００９４】
図１２は、素材管理サーバ７０に送出制御装置５０からの制御信号が与えられた場合において、素材管理サーバ７０が映像収録装置１０−１〜１０−３から出力された映像素材を受け取り、これらを連結して送出装置６０へ出力する際の素材管理サーバ７０の処理動作を示すフローチャートである。また、図１３は、図１２の際の素材管理サーバ７０及び映像収録装置１０−１〜１０−３の動作を示す模式図である。
【００９５】
装置制御部７１は、状態取得部７１０により送出制御装置５０からの制御信号を受信した場合（ステップ１２１）、その旨とプレイリスト管理部７２で管理されるプレイリストとを、管理制御部７８へ通知する。管理制御部７８は、プレイリストに記載された映像素材を収録している映像収録装置を、状態管理部７７の状態管理情報を参照して特定する（ステップ１２２）。管理制御部７８は、特定した映像収録装置に関する情報を装置制御部７１へ通知する。装置制御部７１は、管理制御部７８により特定された映像収録装置１０−１〜１０−３に対して映像素材を出力する旨の制御信号を出力する（ステップ１２３）。このとき、この制御信号は、映像収録装置１０−１〜１０−３が映像素材を素材管理サーバ７０へ出力するように設定している。装置制御部７１による制御は、ログ管理部７９に記録される。映像収録装置１０−１〜１０−３は、装置制御部７１からの制御信号に応じて、映像素材を出力する。また、映像収録装置１０−１〜１０−３は、処理を実行した旨を状態取得部７１０へ通知する。管理制御部７８は、状態取得部７１０で取得された通知に基づいて状態管理部７７を更新する（ステップ１２４）。
【００９６】
素材管理サーバ７０は、データ取得部７１２により映像収録装置１０−１〜１０−３から出力された信号を受信する（ステップ１２５）。受信された信号は、処理部７１３で連結され（ステップ１２６）、出力部７１４から送出装置６０へ出力される（ステップ１２７）。
【００９７】
図１３において、装置制御部７１は、プレイリストに従った順序で、映像収録装置１０−１〜１０−３に対して制御信号を出力する（ステップ１２３）。映像収録装置１０−１〜１０−３は、装置制御部７１からの制御信号に応じて、映像素材を素材管理サーバ７０へ出力する。素材管理サーバ７０は、これらの映像素材を受信し、一つの映像素材に連結して（ステップ１２６）、送出装置６０へ出力する（ステップ１２７）。
【００９８】
これにより、素材管理サーバ７０の処理負荷は上がるものの、映像素材が一箇所から出力されることとなる。このため、映像素材が各映像収録装置からそれぞれ出力される際に、映像収録装置間の素材出力タイミングのずれが発生するリスクを抑えることが可能となる。なお、図１０乃至図１３では、素材管理サーバ７０が送出制御装置５０からの制御信号に応じて映像収録装置１０−１〜１０−３を制御する例について説明したが、映像収録装置１０−１〜１０−３のうちいずれかの映像収録装置のユーザにより入力された出力要求に応じて映像収録装置１０−１〜１０−３を制御する場合であっても同様に実施可能である。
【００９９】
また、図１０乃至図１３では、映像収録装置１０−１〜１０−３から映像素材を出力させる際の処理を説明したが、蓄積装置３０から映像素材を出力させる場合であっても同様に実施可能である。
【０１００】
次に、映像収録装置１０−１〜１０−３にプロキシ素材を作成させる際の素材管理サーバ７０の処理動作を詳細に説明する。図１４は、本発明の第１の実施形態に係る素材管理サーバ７０が映像収録装置１０−１〜１０−３に対してプロキシ素材を作成させる際の処理動作を示すフローチャートである。
【０１０１】
まず、装置制御部７１は、管理制御部７８に対して、映像収録装置１０−１〜１０−３の処理状況を確認するように指示を出す。管理制御部７８は、状態管理部７７の状態管理情報を参照して、映像収録装置１０−１〜１０−３の処理状況を確認する（ステップ１４１）。管理制御部７８は、映像収録装置１０−１〜１０−３の処理負荷が予め設定された負荷よりも軽いか否かを判断する（ステップ１４２）。処理負荷が予め設定された負荷よりも軽い映像収録装置がある場合（ステップ１４２のＹｅｓ）、その旨を装置制御部７１へ通知する。
【０１０２】
装置制御部７１は、状態管理部７７からの通知を受けると、その映像収録装置に対して、プロキシ素材を作成する旨の制御信号を出力する（ステップ１４３）。
【０１０３】
映像収録装置は、装置制御部７１からの制御信号を受信した場合、プロキシ作成部１９により、内蔵記録媒体１６に記録された映像素材に基づいてプロキシ素材を作成する。また、映像収録装置１０−１〜１０−３は、プロキシ素材の作成を開始した旨を状態取得部７１０へ通知する。管理制御部７８は、状態取得部７１０で取得された通知に基づいて状態管理部７７を更新する（ステップ１４４）。
【０１０４】
これにより、映像収録装置では、効率的にプロキシ素材が作成されることとなる。プロキシ素材は、通常の映像素材よりも容量が小さいため、転送処理及び複製処理等にかかる時間を大幅に短縮することが可能となる。すなわち、編集処理の参照用にも使用することができ、編集効率の向上を図ることが可能となる。
【０１０５】
以上のように、本実施形態に係る素材管理システムでは、ネットワークに接続されている各装置に存在する素材情報、及び、各装置の現在の処理状況等の情報を監視制御するようにしている。これにより、ネットワーク上に存在する映像素材を、あたかも一箇所で保管管理されているように扱うことが可能となる。また、ネットワークに繋がる各装置を効率よく稼動させることが可能となる。
【０１０６】
したがって、本発明に係る素材管理システムでは、収録した素材をオンエアするまでの時間を短縮するというワークフローの改善を提供することができる。
【０１０７】
［第２の実施形態］  
図１５は、本発明の第２の実施形態に係る素材管理システムの構成を示すブロック図である。図１５における素材管理システムは、主映像収録装置９０、映像収録装置１０−１〜１０−３、編集装置２０−１〜２０−３、蓄積装置３０、送出制御装置５０及び送出装置６０が、ネットワークを介して接続されて成る。なお、図１５において図１と共通する部分には同じ符号を付して示し、ここでは異なる部分についてのみ説明する。
【０１０８】
図１６は、本発明の第２の実施形態に係る主映像収録装置９０の機能構成を示すブロック図である。なお、図１６において、図４と共通する部分には同じ符号を付して示し、ここでは異なる部分についてのみ説明する。
【０１０９】
図１５に示す主映像収録装置９０は、装置制御部９１を備える。装置制御部９１には、プレイリスト管理部７２、予約情報管理部７３、優先度情報管理部７４及びプログラム管理部７５が接続されている。装置制御部９１は、プログラム管理部７５で管理されるプログラムを実行することで、ネットワーク上に接続された装置の制御を行う。
【０１１０】
また、装置制御部９１は、映像収録装置１０−１〜１０−３の処理負荷を状態管理部７７を参照して確認し、処理負荷の軽い映像収録装置１０−１〜１０−３に対して、プロキシ素材の作成を行うように制御信号を与える。
【０１１１】
また、装置制御部９１は、映像収録装置１０−１〜１０−３に対して映像素材の編集処理が要求された場合、状態管理部７７を参照して処理負荷の軽い編集装置を選択する。そして、装置制御部９１は、映像収録装置１０−１〜１０−３に対して、処理負荷の軽い編集装置を介して映像素材の編集を行わせる。
【０１１２】
また、装置制御部９１には、管理制御部９２が接続されている。管理制御部９２は、装置制御部９１から各装置へ出力された制御信号の内容を、制御ログとしてログ管理部７９で管理する。
【０１１３】
上記主映像収録装置９０は、各装置から出力された映像素材に関する情報を、ネットワークＩ／Ｆ９３で受信する。管理制御部９２は、ネットワークＩ／Ｆ９３で受信された情報に基づいて、映像素材の状態を状態管理部７７で管理する。
【０１１４】
また、主映像収録装置９０は、映像収録装置１０−１〜１０−３又は蓄積装置３０から出力された映像素材をネットワークＩ／Ｆ９３で受信する。このとき、映像収録装置１０−１〜１０−３又は蓄積装置３０は、プレイリストに従って装置制御部９１からの制御信号に従って映像素材を出力する。処理部９４は、ネットワークＩ／Ｆ９３で取得された映像素材を連結する。連結された映像素材は、ネットワークＩ／Ｆ９３から、ネットワークを介して送出装置６０へ出力される。
【０１１５】
また、主映像収録装置９０は、モニタ出力部９５を備える。モニタ出力部９５は、状態管理部７７で管理された映像素材の状態管理情報をモニタ８０へ出力する。モニタ８０には、映像素材の状態管理情報が表示される。
【０１１６】
また、主映像収録装置９０は、本体制御部９６を備え、この本体制御部９６により、映像収録装置自体の処理を制御する。
【０１１７】
本体制御部９６は、入力部１３からユーザにより収録処理の要求が入力された場合、映像素材の収録処理を行う。入力部１３から入力された映像データは、エンコーダ１４によりエンコードされ、内蔵記録媒体コントローラ１５により映像素材として内蔵記録媒体１６へ収録される。
【０１１８】
また、本体制御部９６は、操作入力部１２からユーザにより再生処理の要求が入力された場合、対象となる映像素材の再生処理を行う。このとき、本体制御部９６は、内蔵記録媒体コントローラ１５に内蔵記録媒体１６から映像素材を読み出させる。そして、本体制御部９６は、読み出した映像素材をデコーダ１７でデコードし、デコードした映像をモニタ出力部９５を介してモニタで再生する。
【０１１９】
また、本体制御部９６は、収録した映像素材を出力する旨の制御信号をネットワークを介して受信した場合、又は、操作入力部１２からユーザにより出力処理の要求が入力された場合、対象となる映像素材の出力処理を行う。このとき、本体制御部９６は、内蔵記録媒体コントローラ１５に内蔵記録媒体１６から映像素材を読み出させる。そして、本体制御部９６は、読み出した映像素材をネットワークインタフェース（Ｉ／Ｆ）９５を介して出力する。
【０１２０】
以上のように、上記第２の実施形態に係る素材管理システムにおける主映像収録装置９０は、第１の実施形態に係る素材管理サーバ７０の機能を備えている。これにより、素材管理サーバ７０が不要な小規模ネットワークの場合であっても、ネットワーク上に主映像収録装置９０が設置されていれば、第１の実施形態における素材管理サーバ７０がネットワーク上に存在するのと同様の効果を得ることが可能となる。すなわち、ネットワーク上の映像素材が効率的に管理されることとなる。
【０１２１】
したがって、本発明に係る素材管理システムでは、ネットワーク上に存在する映像素材が効率的に管理され、ワークフローが改善されることとなる。
【０１２２】
［その他の実施形態］  
なお、この発明は上記各実施形態に限定されるものではない。例えば上記各実施形態では、ネットワーク上に、映像収録装置１０−１〜１０−３、編集装置２０−１〜２０−３、蓄積装置３０、送出制御装置５０、送出装置６０が存在する例について説明したが、ネットワークに接続される装置は、これらに限定される訳ではない。例えば、これら以外の装置が接続される場合、又は、これらの装置のいずれかが無い場合であっても同様に実施可能である。
【０１２３】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２４】
１０−１〜１０−３…映像収録装置
１１…制御部
１２…操作入力部
１３…入力部
１４…エンコーダ
１５…内蔵記録媒体コントローラ
１６…内蔵記録媒体
１７…デコーダ
１８…ネットワークＩ／Ｆ
１９…プロキシ作成部
１１０…プレイリスト管理部
１１１…モニタ出力部
２０−１〜２０−３…編集装置
３０…蓄積装置
５０…送出制御装置
６０…送出装置
７０…素材管理サーバ
７１…装置制御部
７２…プレイリスト管理部
７３…予約情報管理部
７４…優先度情報管理部
７５…プログラム管理部
７６…操作入力部
７７…状態管理部
７８…管理制御部
７９…ログ管理部
７１０…状態取得部
７１１…モニタ出力部
７１２…データ取得部
７１３…処理部
７１４…出力部
８０…モニタ
９０…主映像収録装置
９１…装置制御部
９２…管理制御部
９３…ネットワークＩ／Ｆ
９４…処理部
９５…モニタ出力部
９６…本体制御部
【図１】
2011030090.tif 000003
【図２】
2011030090.tif 000004
【図３】
2011030090.tif 000005
【図４】
2011030090.tif 000006
【図５】
2011030090.tif 000007
【図６】
2011030090.tif 000008
【図７】
2011030090.tif 000009
【図８】
2011030090.tif 000010
【図９】
2011030090.tif 000011
【図１０】
2011030090.tif 000012
【図１１】
2011030090.tif 000013
【図１２】
2011030090.tif 000014
【図１３】
2011030090.tif 000015
【図１４】
2011030090.tif 000016
【図１５】
2011030090.tif 000017
【図１６】
2011030090.tif 000018